(57)【要約】【課題】不正な計数が発生した際の撮影情報に基づいて、計数を行なった操作者を特定することができるメダル計数管理システムを提供する。【解決手段】メダル計数機２００によるメダルの計数時に、自店メダルか他店メダルかをメダル判別部２２０により判別し、メダル判別部２２０により判別された他店メダル数が、予め設定したメダルの上限値（占有値）以上の値となった場合に、ターミナルコントローラ１４０に対して、「警戒信号」を送信するとともに、ターミナルコントローラ１４０は、撮影カメラ４００に対して、メダル計数時の撮影画像を撮影する「撮影開始信号」を送信し、この撮影カメラ４００により撮影された人物の撮影情報に対応付けて、メダルの計数情報（メダル総枚数／自店メダル枚数／他店メダル枚数）を管理する。【選択図】        図１
2007014625.tif 000002
【特許請求の範囲】
【請求項１】
メダルの計数を行なうメダル計数機と、前記メダル計数機の操作者を含む範囲を撮影対象とする撮影手段と、該撮影手段による撮影を制御する撮影制御手段を有する管理装置とを備えたメダル計数管理システムであって、
前記メダル計数機は、
前記メダルの計数を行なうメダル計数手段と、
自店で使用するメダルの画像情報を自店メダル情報として登録する自店メダル情報登録手段と、
前記自店メダル情報登録手段に登録された前記自店メダル情報を記憶／格納する自店メダル情報データベースと、
前記メダル計数手段によって計数されるメダルの画像情報を取得する画像情報取得手段と、
前記自店メダル情報登録手段に登録された自店メダルの画像情報と、前記画像情報取得手段によって取得された計数メダルの画像情報を照合し、該メダルが自店メダルであるか、その他の非自店メダルであるかを判別するメダル判別手段と、
前記非自店メダルの混入割合或いは、上限枚数を非自店メダルの規定占有値として設定する規定占有値設定手段と、
前記メダル計数手段による計数結果を含む計数情報を前記管理装置に対して送信するとともに、計数処理中に前記メダル判別手段により非自店メダルであると判定されるメダルの混入割合或いは枚数が、前記規定占有値を超えた場合に、前記管理装置に対して、警戒通知信号を出力する制御手段と
を備えることを特徴とするメダル計数管理システム。
【請求項２】
前記管理装置は、
前記メダル計数機により送信される警戒通知信号に基づいて、前記撮影手段に対して、撮影の開始指示信号を送信し、
前記撮影手段は、
前記管理装置から送信された撮影開始指示に基づいて、前記メダル計数機の計数を行なう操作者を撮影し、該撮影情報を管理装置に対して送信することを特徴とする請求項１に記載のメダル計数管理システム。
【請求項３】
前記メダル計数機によるメダル計数時の操作者を特定する操作者識別情報を取得するとともに、取得した該操作者識別情報を前記管理装置に送信する識別情報取得手段を備え、
前記管理装置は、
前記撮影手段により送信された撮影情報を、前記識別情報取得手段により送信された操作者識別情報と関連付けて記憶することを特徴とする請求項２に記載のメダル計数管理システム。
【請求項４】
前記撮影手段は、
前記メダル計数機と、該メダル計数機を操作する操作者と、該操作者の近傍に位置する人物を含む範囲、或いは、いずれかの組み合わせの範囲を撮影対象とすることを特徴とする請求項１、２または３に記載のメダル計数管理システム。
【請求項５】
前記管理装置は、
前記撮影手段により送信された撮影情報と、前記メダル計数機により送信された前記計数情報とを関連付けて記憶する計数情報データベースを備えることを特徴とする請求項１〜４のいずれか一つに記載のメダル計数管理システム。
【請求項６】
前記メダル計数機は、
前記画像情報取得手段によって取得されたメダルの画像情報を前記管理装置へ送信する画像情報送信手段を備え、
前記管理装置は、
前記画像情報送信手段により送信された前記画像情報を、前記メダル計数機により送信された前記計数情報と関連付けて記憶する計数情報データベースを備えることを特徴とする請求項１〜５のいずれか一つに記載のメダル計数管理システム。
【請求項７】
前記管理装置は、
前記非自店メダルの混入割合或いは、上限枚数を規定占有値として設定し、前記メダル計数機へ送信する非自店メダル占有値管理手段を備え、
前記メダル計数機は、
前記非自店メダル占有値管理手段により設定される規定占有値に基づいて、自機に設定された規定占有値を再設定することを特徴とする請求項１〜６のいずれか一つに記載のメダル計数管理システム。
【請求項８】
前記非自店メダル占有値管理手段により設定される規定占有値は、遊技店の営業時間に応じて変動するように設定されることを特徴とする請求項１〜７のいずれか一つに記載のメダル計数管理システム。
【発明の詳細な説明】
【技術分野】
【０００１】
この発明は、遊技媒体（メダル）の計数管理を行なうメダル計数管理システムに関し、特に、不正な計数が発生した際の撮影情報に基づいて、計数を行なった操作者を特定することができるメダル計数管理システムに関する。
【背景技術】
【０００２】
従来より、メダルを遊技媒体として利用するパチスロ機などの遊技機が設置された遊技店では、メダルの貸し出しを行なうメダル貸出機と、メダルの計数を行なうメダル計数機が設置されるのが一般的である。このメダル貸出機は、各パチスロ機にそれぞれ併設されており、遊技客によって紙幣投入口に紙幣が挿入されると、この紙幣に対応する所定枚数のメダルを投出するものである。このため、遊技客は、かかるメダル貸出機から投出されたメダルを使用してパチスロ遊技を行なうことができる。
【０００３】
一方、メダル計数機は、遊技店内の島端などに設置される装置であり、遊技客が獲得したメダルの計数を行なうとともに、計数したメダル枚数を印字したレシートやメダル枚数を記憶したカードを発行するものである。例えば、特許文献１には、投入されたメダルを回転円板で１枚ずつ繰り出し、この繰り出されたメダルの枚数を計数センサでカウントして計数を行なうメダル計数機が開示されている。
【０００４】
また、メダル計数機ではないが、受け入れた硬貨の外形（厚み、直径）や材質に加えて、硬貨の模様を識別し、正規の硬貨であるか、指定外の硬貨（偽造硬貨、外国の硬貨など）であるかを判別し、正規の硬貨でなければ回収或いは返却する硬貨入金機が知られている（例えば、特許文献２及び特許文献３参照）。
【０００５】
【特許文献１】特開平９−３５１０７号公報
【特許文献２】特開２０００−２５１１０９号公報
【特許文献３】特開平１１−３９５３１号公報
【発明の開示】
【発明が解決しようとする課題】
【０００６】
しかしながら、上記特許文献１では、遮光／透光のみでメダルの有無を検知する光学式センサ（フォトインタラプタ）を計数センサとして採用しているため、正当な自店メダル以外に、他店メダルや同じサイズの金属板（非自店メダル）が不正に持ち込まれても、区別できずに計数されてしまい、これにより遊技店が損害を被る可能性がある。
【０００７】
一方、上記特許文献２及び３のものをメダル計数機に適用すると、メダルを計数する際に該メダルが自店メダルであるか他店メダル等であるかを判定することが可能になるが、この従来技術によってメダルの種別を判定したとしても、メダルは硬貨と同質のものではないので、他店メダル等を判定できたとしても、これを排除したり警告することができないという問題がある。
【０００８】
この点を具体的に説明すると、他店メダル等を持ち込んだ悪意のある遊技客がパチスロ機でパチスロ遊技を行うと、この他店メダル等はパチスロ機のホッパ内に貯留され、その後に別の遊技客が獲得した賞メダルの中にかかる他店メダル等が混入し、この賞メダルを獲得した遊技客に悪意がないにもかかわらず、メダル計数機に投入したメダルに他店メダル等が混ざってしまう。このため、メダル計数機によって他店メダル等を見つけたとしても、当該遊技客が他店メダル等を持ち込んでいない場合には、この遊技客によるメダル計数中に警告を発するのは酷であり、また他店メダル等を計数対象から除外するのも同様に酷である。さらに、この他店メダル等を悪意のある遊技客に返却することとすると、当事者が逃げてしまい他のメダル計数機や他の遊技店で再度悪用される恐れもある。
【０００９】
また、硬貨入金機の入金対象は、造幣局により発行された硬貨であるので該硬貨に施された模様は一様でかつ確定的であり、遊技店ごとにその模様が変わり得るメダルと性質が異なる。このため、この硬貨入金機に係る特許文献２及び３の技術を用いたとしても、設置先の要望に基づいて新たな画像情報を簡易に追加することができず、結果的にかかる特許文献２及び３のものは、メダル計数管理システムに適用するのが難しく、特に遊技店に新たなメダルを導入する運用には対応できないという問題がある。
【００１０】
また、セキュリティの観点から見れば、メダル計数機に他店メダル等を投入した人物を特定する必要があるが、上記特許文献１〜３を用いたとしても不正に他店メダル等を持ち込んだ人物を特定することができないという問題がある。
【００１１】
この発明は、上述した従来技術による問題点を解決するためになされたものであり、他店メダル等の非自店メダルが遊技店内に持ち込まれ、不正なメダル計数に伴う遊技店の不利益を効率良く抑制することができるメダル計数管理システムを提供することを目的とする。
【課題を解決するための手段】
【００１２】
上述した課題を解決し、目的を達成するために、請求項１に記載の発明は、メダルの計数を行なうメダル計数機と、前記メダル計数機の操作者を含む範囲を撮影対象とする撮影手段と、該撮影手段による撮影を制御する撮影制御手段を有する管理装置とを備えたメダル計数管理システムであって、前記メダル計数機は、前記メダルの計数を行なうメダル計数手段と、自店で使用するメダルの画像情報を自店メダル情報として登録する自店メダル情報登録手段と、前記自店メダル情報登録手段に登録された前記自店メダル情報を記憶／格納する自店メダル情報データベースと、前記メダル計数手段によって計数されるメダルの画像情報を取得する画像情報取得手段と、前記自店メダル情報登録手段に登録された自店メダルの画像情報と、前記画像情報取得手段によって取得された計数メダルの画像情報を照合し、該メダルが自店メダルであるか、その他の非自店メダルであるかを判別するメダル判別手段と、前記非自店メダルの混入割合或いは、上限枚数を非自店メダルの規定占有値として設定する規定占有値設定手段と、前記メダル計数手段による計数結果を含む計数情報を前記管理装置に対して送信するとともに、計数処理中に前記メダル判別手段により非自店メダルであると判定されるメダルの混入割合或いは枚数が、前記規定占有値を超えた場合に、前記管理装置に対して、警戒通知信号を出力する制御手段とを備えることを特徴とする。
【００１３】
また、請求項２に記載の発明は、請求項１に記載の発明において、前記管理装置は、前記メダル計数機により送信される警戒通知信号に基づいて、前記撮影手段に対して、撮影の開始指示信号を送信し、前記撮影手段は、前記管理装置から送信された撮影開始指示に基づいて、前記メダル計数機の計数を行なう操作者を撮影し、該撮影情報を管理装置に対して送信することを特徴とする。
【００１４】
また、請求項３に記載の発明は、請求項２に記載の発明において、前記メダル計数機によるメダル計数時の操作者を特定する操作者識別情報を取得するとともに、取得した該操作者識別情報を前記管理装置に送信する識別情報取得手段を備え、前記管理装置は、前記撮影手段により送信された撮影情報を、前記識別情報取得手段により送信された操作者識別情報と関連付けて記憶することを特徴とする。
【００１５】
また、請求項４に記載の発明は、請求項１、２又は３に記載の発明において、前記撮影手段は、前記メダル計数機と、該メダル計数機を操作する操作者と、該操作者の近傍に位置する人物を含む範囲、或いは、いずれかの組み合わせの範囲を撮影対象とすることを特徴とする。
【００１６】
また、請求項５に記載の発明は、請求項１〜４のいずれか一つに記載の発明において、前記管理装置は、前記撮影手段により送信された撮影情報と、前記メダル計数機により送信された前記計数情報とを関連付けて記憶する計数情報データベースを備えることを特徴とする。
【００１７】
また、請求項６に記載の発明は、請求項１〜５のいずれか一つに記載の発明において、前記メダル計数機は、前記画像情報取得手段によって取得されたメダルの画像情報を前記管理装置へ送信する画像情報送信手段を有し、前記管理装置は、前記画像情報送信手段により送信された前記画像情報を、前記メダル計数機により送信された前記計数情報と関連付けて記憶する計数情報データベースを備えることを特徴とする。
【００１８】
また、請求項７に記載の発明は、請求項１〜６のいずれか一つに記載の発明において、前記管理装置は、前記非自店メダルの混入割合或いは、上限枚数を規定占有値として設定し、前記メダル計数機へ送信する非自店メダル占有値管理手段を備え、前記メダル計数機は、前記非自店メダル占有値管理手段により設定される規定占有値に基づいて、自機に設定された規定占有値を再設定することを特徴とする。
【００１９】
また、請求項８に記載の発明は、請求項１〜７のいずれか一つに記載の発明において、前記非自店メダル占有値管理手段により設定される規定占有値は、遊技店の営業時間に応じて変動するように設定されることを特徴とする。
【発明の効果】
【００２０】
請求項１に記載の発明によれば、自店で使用するメダルの画像情報を自店メダル情報として自店メダル情報データベースに登録しておき、メダル計数手段によって計数されるメダルの画像情報を取得したならば、取得したメダルの画像情報と登録された自店メダルの画像情報を照合し、該メダルが自店メダルであるかその他の非自店メダルであるかを判別するとともに、計数情報を管理装置に対して送信し、計数処理中に非自店メダルであると判定されるメダルの混入割合或いは枚数が規定占有値を超えた場合に管理装置に対して警戒通知信号を出力するよう構成したので、非自店メダルを確実に判別することができるうえ、判別された非自店メダルの枚数或いは混入割合が所定の設定値に達すると、管理装置に対して警戒通知信号が発せられることから、これによって、非自店メダルを所定量以上計数する計数操作を不正行為として抑制することができるという効果を奏する。また、自店メダル情報データベースに自店のメダルとして登録するメダルの画像情報を任意に変更或いは追加することができるので汎用性が向上できるという効果を奏する。
【００２１】
また、請求項２に記載の発明によれば、管理装置は、メダル計数機により送信される警戒通知信号に基づいて撮影手段に対して撮影の開始指示信号を送信し、撮影手段は、管理装置から送信された撮影開始指示に基づいてメダル計数機の計数を行なう操作者を撮影するとともに、該操作者を特定する識別情報に関連付けて撮影情報を管理装置に対して送信するよう構成したので、撮影手段によって撮影された撮影情報に基づいて、所定量以上の非自店メダルを計数した操作者の状況を正確に把握できるうえ、不正計数を行なう人物を特定できるという効果を奏する。
【００２２】
また、請求項３に記載の発明によれば、メダル計数機によるメダル計数時の操作者を特定する操作者識別情報を取得するとともに、取得した操作者識別情報を管理装置に送信し、管理装置は、撮影手段により送信された撮影情報を操作者識別情報と関連付けて記憶するよう構成したので、メダル計数機で計数を行なう操作者を識別情報に基づいて特定できるとともに、その時の状況を撮影情報として確実に把握できるという効果を奏する。
【００２３】
また、請求項４に記載の発明によれば、撮影手段は、メダル計数機と、該メダル計数機を操作する操作者と、該操作者の近傍に位置する人物を含む範囲、或いは、いずれかの組み合わせの範囲を撮影対象とするよう構成したので、撮影手段によって撮影された撮影情報に基づいて、所定量以上の非自店メダルを計数した操作者の特定やメダル計数時の周囲の状況を正確に把握できるという効果を奏する。
【００２４】
また、請求項５に記載の発明によれば、管理装置は、撮影手段により送信された撮影情報と、メダル計数機により送信された計数情報とを関連付けて記憶する計数情報データベースを設けるよう構成したので、この計数情報データベースによって、所定量以上の非自店メダルが計数された際の撮影情報と、その時の計数情報とを関連付けて正確に管理できるという効果を奏する。
【００２５】
また、請求項６に記載の発明によれば、メダル計数機は、画像情報取得手段によって取得されたメダルの画像情報を管理装置へ送信し、管理装置は、受信した画像情報をメダル計数機により送信された計数情報と関連付けて記憶する計数情報データベースを設けるよう構成したので、この計数情報データベースによって、非自店メダルの画像情報と、当該非自店メダルが計数された際の計数情報とを正確に管理できるという効果を奏する。
【００２６】
また、請求項７に記載の発明によれば、管理装置は、非自店メダルの混入割合或いは上限枚数を規定占有値として設定してメダル計数機へ送信し、メダル計数機は、設定された規定占有値に基づいて自機に設定された規定占有値を再設定するよう構成したので、非自店メダルの上限値（占有値）を管理装置で再設定できるとともに、再設定された非自店メダルの上限値（占有値）をメダル計数機に対して通知することができ、これによって、遊技店内に複数のメダル計数機がある場合でも、管理装置から一括して非自店メダルの上限値（占有値）を設定できるという効果を奏する。また、非自店メダルの上限値（占有値）の設定により、遊技時間帯などの条件の遷移に合わせて（他店メダル数の上限値を時間経過にともなって）変動させることができるため、汎用性の高い管理システムを実現できるという効果を奏する。
【００２７】
また、請求項８に記載の発明によれば、設定される規定占有値は、遊技店の営業時間に応じて変動するよう設定するよう構成したので、遊技店の営業時間が延長した際などに、非自店メダルの規定占有値を遊技店の営業時間の延長にともなって変動させることができ、これによって、汎用性の高い管理システムとすることができるという効果を奏する。
【発明を実施するための最良の形態】
【００２８】
以下に添付図面を参照して、この発明に係るメダル計数管理システムの好適な実施例を詳細に説明する。なお、以下に示す実施例では、本発明に係るメダル計数管理システムをメダルを使用するパチスロ遊技に適用した場合を示すこととする。なお、以下では、本実施例に係るメダル計数管理システムの概要及び特徴を説明し、これに続いて、このメダル計数管理システムの構成及び機能の詳細を説明し、その後、メダル計数管理システムによる全体処理に関する処理手順を説明することとする。
【００２９】
ここで、本明細書中で示す他店メダル等の「非自店メダル」には、他の遊技店で使用されていたメダル以外に、例えば、パチスロ機用のメダルとして偽造されたメダルや金属板などを単に円板状に打ち抜き成形したものも含むものとする。
【実施例】
【００３０】
（メダル計数管理システムの概要及び特徴）
まず最初に、本実施例に係るメダル計数管理システムの概要及び特徴を説明する。図１は、本実施例に係るメダル計数管理システムの概略構成を示す機能ブロック図である。また、図２は、図１に示したターミナルコントローラの概要を示す全体機能ブロック図を、図３は、計数情報データベースの構成内容を、図４は、他店メダル占有値設定テーブルの構成内容を、図５は、カメラサーバの概要を示す機能ブロック図を、図６は、メダル計数機の構成を示す機能ブロック図をそれぞれ示している。
【００３１】
図１に示すように、本実施例に係るメダル計数管理システムは、遊技店の事務所内に設置するターミナルコントローラ１４０（ホールコンピュータ）を中心として、このターミナルコントローラ１４０と、島コントローラ１２０に通信接続される複数のパチスロ機１００及びメダル貸出機１１０と、メダル計数機２００とにより構築されたシステムであり、ターミナルコントローラ１４０内に設けたカメラサーバ５００と、メダル計数機２００の周囲を撮影できる位置に据置された撮影カメラ４００（請求項の「撮影手段」に相当する）とをＬＡＮ（Local Area Network）などの通信回線（ネットワーク）により接続した状態で構成されている。
【００３２】
すなわち、このメダル計数管理システムは、遊技店内のそれぞれ「島」と呼ばれるグループごとに複数のパチスロ機１００と、このパチスロ機１００に併設されたメダル貸出機１１０とが据置されており、さらに、遊技店内の島端などにメダル計数機２００を据置し、このメダル計数機２００により遊技客が遊技により獲得したメダルの計数管理を行なうともに、このメダル計数機２００の周囲（メダル計数機２００及びメダルの計数を行なう係員或いは遊技客）を撮影カメラ４００により撮影し、この撮影情報をターミナルコントローラ１４０のカメラサーバ５００で管理するシステムとして構築されている。以下、このメダル計数機管理システムの構成要素の概略を説明する。
【００３３】
島コントローラ１２０は、それぞれの島内のパチスロ機１００、メダル貸出機１１０に対する制御機能及び管理機能を備えている。また、この島コントローラ１２０は、ターミナルコントローラ１４０により一括的に制御及び管理されている。
【００３４】
パチスロ機１００は、メダルを使用して回転する絵柄を揃える操作により遊技を行なう遊技機である。メダル貸出機１１０は、このメダル貸出機１１０に紙幣が投入された際に、所定量（１０００円で５０枚）のメダルを投出して遊技用のメダルの貸し出し処理を行なう装置である。このメダル貸出機１１０は、遊技店に設置された複数のパチスロ機１００それぞれに対して１台ずつペアとなるように用意され、パチスロ機１００の相互間に挟まれるように設置してある。
【００３５】
メダル計数機２００は、メダルホッパー内に投入されたメダルの総枚数を計数する機能及びメダルの計数時に、他店のメダルが混入した場合を想定し、自店で登録されているメダル（自店メダル）の枚数とそれ以外のメダル（非自店メダル）の枚数とをメダル判別部２２０（図６）により判別するとともに、メダルの総計数値とともに、自店メダルの枚数及び他店メダルの枚数を、表示部２５１（図６）に表示する機能を備えている。
【００３６】
また、このメダル計数機２００は、他店メダルの計数枚数（混入枚数）が予め設定した上限値（占有値）よりも多いと判定された場合、ターミナルコントローラ１４０に対して「警戒信号」を送信する機能を備えている。ここで、このメダル計数機２００によるメダルの計数は、不正操作などによる不正な計数を防止するため、遊技客ではなく遊技店内の係員が行なうこととする。なお、このメダル計数機２００は、本発明の特徴部分であるため、その構成及び機能の詳細は、後述する。
【００３７】
レシート・カード端末機３００は、メダル計数機２００と接続ケーブルにより接続され、メダル計数機２００の表示部２５１（図６）に表示されたメダルの計数値（メダル総枚数、自店メダル枚数、他店メダル枚数）を印字したレシートやメダルの総枚数を記憶したカードなどをレシート発行口３５０（図１０）或いはカード挿入／排出口３４０から発行する機能を備えている。
【００３８】
なお、図１のシステム構成図では、メダル計数機２００とレシート・カード端末機３００とを別体構成として示しているが、このメダル計数機２００とレシート・カード端末機３００とは一体構成としてもよくメダル計数機２００自体にレシート・カード端末機３００と同等の機能を持たせてもよい。
【００３９】
ここで、遊技店内の係員は、それぞれ係員ＩＤカードを所持しており、この係員ＩＤカードには、係員個々を認証するための係員ＩＤ（例えば、００２３６９・・・）が予め記録されている。この係員が所持する係員ＩＤカードの係員ＩＤは、レシート・カード端末機３００のカードリーダ（カード情報読取部３６０）により読み取ることができる。
【００４０】
撮影カメラ４００は、遊技店の天井などに取り付け固定され、この撮影カメラ４００の撮影レンズはメダル計数機２００の設置方向に向けられており、メダル計数機２００及び実際にメダルの計数を行なう人物（遊技店の係員或いは、遊技客）を撮影する機能を備えている。
【００４１】
この撮影カメラ４００により撮像された撮影情報は、カメラサーバ５００に送信され、この撮影情報は、計数情報データベース１７０（図３）に記憶される。なお、この撮影カメラ４００の構成及び機能の詳細についても、後述する。
【００４２】
以上のように構成されるメダル計数管理システムにおいて、本実施例に係るメダル計数機２００は、メダル計数機２００のメダルホッパー内に投入されたメダルが、自店メダルか他店メダルかをメダル判別部２２０（図６）により判別し、このメダル判別部２２０により判別された他店メダルの枚数が、予め設定した他店メダルの上限値（占有値）まで到達した場合に、メダル計数機２００からターミナルコントローラ１４０に対して、他店メダルの混入割合（占有枚数）が多いことを報知する「警戒信号」を送信することに特徴がある。
【００４３】
また、ターミナルコントローラ１４０は、メダル計数機２００から「警戒信号」が送信された際に、撮影カメラ４００に対して、メダル計数機２００の周囲を撮影する「撮影開始信号」を送信し、この撮影カメラ４００により撮影された撮影情報（メダル計数時の係員或いは遊技客）を取得し、この取得した撮影情報に対応付けて、メダルの計数値（メダル総枚数／他店メダル枚数）を、計数情報データベース１７０（図３）に記憶／格納するようにしている。すなわち、撮影カメラ４００によって撮影された撮影情報に基づいて、上限枚数に到達するまで他店メダルの計数を行なった人物（係員）及び周囲の状況を正確に把握（特定）できるようにしている。
【００４４】
また、このメダル計数機２００では、計数されたメダルの総計数値と、メダル判別部２２０（図６）により判別された自店メダルの計数値と、他店メダルの計数値とを別々に表示部２５１（図６）に表示するようにしている。すなわち、これによって、自店で登録した自店メダル（指定メダル）のメダル枚数及び他店から持ち込まれた他店メダル枚数を正確に把握できるようにしている。
【００４５】
ここで、原則としてメダル計数機２００によるメダルの計数は、不正行為を防止するためパチスロ遊技によりメダルを獲得した遊技客ではなく遊技店の係員が行なうこととしているが、遊技客が会員カードを所有する会員の場合は、身元が明確であるため係員ではなく会員自身でメダル計数機２００による計数を行なうことができる。このため、メダル計数機２００により計数を行なう人物が遊技店の係員ではなく会員の場合、この会員の顔画像が撮影カメラ４００により撮影されることとなる。
【００４６】
（ターミナルコントローラ１４０の構成及び機能）
次に、ターミナルコントローラ１４０の構成及び機能について説明する。図２は、ターミナルコントローラ１４０の内部構成を示す機能ブロック図である。同図に示すように、このターミナルコントローラ１４０は、主制御部１４１と、モニタ１４２と、表示制御部１４２ａと、入力部１４３と、外部記憶部１４４（ハードディスク）と、出力部１４５と、通信Ｉ／Ｆ部１４６と、計数情報データベース１７０と、他店メダル占有値設定テーブル１８０とを備えている。
【００４７】
主制御部１４１は、他店メダル占有値管理部１４６を有しており、メダル計数管理システムに関するコントローラとしての機能を備えている。モニタ１４２は、ＣＲＴや液晶ディスプレイなどを備えて構成されており、このモニタ１４２には、操作ガイダンスや各登録／設定モード（１．自店メダル登録、２．他店占有値登録、３．レシート発行設定・・・）を選択／設定するメニュー画面（図１２）や計数情報データベース１７０（図３）、他店メダル占有値設定テーブル１８０（図４）内に格納された情報を表示することができる。
【００４８】
なお、このモニタ１４２は、タッチパネルとして後述する入力部１４３の機能をも実現するようにしてもよい。表示制御部１４２ａは、モニタ１４２に表示される表示内容を制御する表示制御機能を備えている。
【００４９】
入力部１４３は、各種の情報を入力するキーボード、マウス及びトラックボールなどの指示入力手段（入力用デバイス）であり、遊技店ホールの管理者や係員などの操作により、メニュー画面（図１２）による各登録／設定モード（１．自店メダル登録、２．他店占有値登録、３．レシート発行設定・・・）の選択／設定を行なう手段として使用される。
【００５０】
外部記憶部１４４（ハードディスク）は、主制御部１４１による各種処理に必要なデータ及びプログラムを格納する格納手段（記憶手段）である。
【００５１】
出力部１４５はプリンタなどの印刷手段であり、本例では、モニタ１４２に表示される各種の表示内容（計数情報データベース１７０、他店メダル占有値設定テーブル１８０）や計数画像欄に記憶された画像情報を、この出力部１４５により印字（プリント）して、印字用紙を発行する機能を備えている。通信Ｉ／Ｆ１４６は、島コントローラ１２０及び撮影カメラ４００と情報の送受信を行なうインターフェースとしての通信機能を備えている。
【００５２】
他店メダル占有値管理部１４６は、他店メダルの上限値（占有値）を設定する機能を備えるとともに、この他店メダル占有値管理部１４６により設定された他店メダルの上限値（占有値）に基づいて、メダル計数機２００の他店メダル占有値設定部２２１（図６）により設定された他店メダルの占有値を再設定する機能を備えている。この他店メダル占有値管理部１４６により設定された他店メダルの占有値は、他店メダル占有値設定テーブル１８０に記憶／格納される。
【００５３】
具体的に説明すると、遊技店では、イベント期間や年末などには、営業時間を延長する場合が多く、この営業時間の延長（経過）にともなって、メダル計数機２００のに他店メダルが混入する割合も多くなる。このため、ターミナルコントローラ１４０には、後述するメダル計数機２００の他店メダル占有値設定部２２１（図６）と同様に、このターミナルコントローラ１４０側で他店メダルの占有値を設定する他店メダル占有値管理部１４６を設けている。そして、この他店メダル占有値管理部１４６により、例えば、遊技店の営業時間が延長した際などには、時間経過にともなって、他店メダルの上限値（占有値）が変動するように調整している。
【００５４】
すなわち、営業開始時から営業時間の経過にともなって、他店メダルが混入する割合も多くなることが予測される。このため、他店メダル占有値管理部１４６により他店メダルの上限値が時間経過にともなって変動する値（初期に設定された上限値の４０枚を、例えば、６０枚に設定する）となるように設定する。これによって、遊技店の営業時間が延長した際などでも、他店メダル数の上限値は固定値でなく、時間経過にともなって変動する値とすることができるため、汎用性の高い管理システムとすることができる。
【００５５】
（計数情報データベース１７０の構成及び機能の詳細）
次に、図３を参照して、計数情報データベース１７０の構成及び機能の詳細について説明する。図３は、計数情報データベース１７０の一例を示している。
【００５６】
同図に示すように、計数情報データベース１７０は、計数日時欄（「年（西暦）、月／日、時間」）と、取引ＩＤ欄と、係員ＩＤ欄と、計数枚数欄と、他店メダル枚数欄と、計数画像欄とにより構成されている。
【００５７】
計数日時欄には、計数を行なった日時（「年（西暦）、月／日、時間」）が、取引ＩＤ欄には、計数時のログ（０１〜０５）が、係員ＩＤ欄には、計数を行なった係員の係員ＩＤが、計数枚数欄には、メダル計数機２００により計数されたメダルの総計数枚数が、他店メダル枚数欄には、メダル判別部２２０（図６）により非自店メダルと判別された他店メダルの枚数がそれぞれ記憶／格納される。また、計数画像欄には、メダル計数機２００の計数時に撮影カメラ４００により撮影された撮影情報が記憶／格納される。この計数画像欄には、他店メダル枚数が予め設定された上限値（占有値）を超えた際に、計数を行なった人物（係員／遊技客）の撮影情報が記憶／格納されることとなる。
【００５８】
具体的に説明すると、図３に示した計数情報データベース１７０では、２００４年７月２０日（１７時２３分１５秒）に係員（カードＩＤ「００２３６９」）により、５１２８枚の計数（総計数枚）が行なわれ、この総計数値のうち他店のメダル枚数が１０枚計数（判別）されたことを示している。ここで、例えば、他店メダル占有値設定部２２１（図６）により、他店メダル枚数の上限値（占有値）を４０枚として設定している場合、他店メダルの枚数は上限値（占有値）以上の値となっていないため、カメラサーバ５００（撮影カメラ４００）は作動せず、計数画像欄に計数画像（係員／遊技客の撮影情報）は記憶／格納されない。
【００５９】
一方、同日の１８時１６分２３秒に、同じく係員（カードＩＤ「００２５４２」）により、８２３９枚の計数（総計数枚数）が行なわれ、この総計数枚数のうち他店メダルが１２４枚計数（判別）されていたことを示している。
【００６０】
この場合、他店メダル枚数が上限値（占有値）の４０枚以上の値となっているため、ターミナルコントローラ１４０から撮影カメラ４００に対して、「撮影開始信号」が送信され、これによって、撮影カメラ４００により計数時の撮影情報（「０１１７３９４．ｊｐｇ」）が撮影され、この撮影情報（「０１１７３９４．ｊｐｇ」）が計数画像欄に記憶／格納されたことを示している。
【００６１】
また、本例では、図３に示すように、この計数画像欄に撮影情報が格納された際、画像情報（「０１１７３９４．ｊｐｇ」）を直接マウスにより指定（クリック）することにより、この画像情報をポップアップ表示により確認することができる。
【００６２】
ここで、上述した計数情報データベース１７０では、計数画像欄に表示されている画像情報（例えば、「０１１７３９４．ｊｐｇ」）をマウスで指定（クリック）することにより、撮影情報をポップアップ表示するようにしているが、ターミナルコントローラ１４０（図２）のモニタ１４２に撮影情報を検索するための検索画面（図示せず）を設け、この検索画面の検索設定欄に取引ＩＤの入力或は、計数日時を入力することにより、この取引ＩＤ或は、計数日時に対応した撮影情報（係員の顔画像）を適宜、ポップアップ表示により確認できるようにしてもよい。
【００６３】
（他店メダル占有値設定テーブル１８０の構成及び機能の詳細）
次に、図４を参照して、他店メダル占有値設定テーブル１８０の構成及び機能の詳細について説明する。図４は、ターミナルコントローラ１４０に備えている他店メダル占有値設定テーブル１８０の構成を示している。同図に示すように、他店メダル占有値設定テーブル１８０は、計数日時欄（「年（西暦）、月／日、時間」）と、係員ＩＤ欄と、登録欄とにより構成されている。
【００６４】
計数日時欄には、他店メダルの上限値（占有値）を設定した日時（「年（西暦）、月／日、時間」）が、係員ＩＤ欄には、設定を行なった係員が所有する係員ＩＤカードの係員ＩＤが、登録欄には他店メダル占有値管理部１４６（図２）により設定された他店メダルの上限値（占有値）がそれぞれ記憶／格納される。図４に示す他店メダル占有値設定テーブル１８０では、２００３年１０月２日（１７時２３分１５秒）に係員（カードＩＤ「００２３６９」）により、他店メダルの上限値（占有値）を４０枚として設定したことを示している。
【００６５】
この他店メダル占有値設定テーブル１８０による設定により、メダル判別部２２０（図６）により判別された他店メダルの枚数が４０枚以上の値となった場合に、メダル計数機２００からターミナルコントローラ１４０に対して、他店メダルが上限値（占有値）以上の値となったことを知らせる「警戒信号」が送信される。なお、この他店メダル占有値設定テーブル１８０を使用した他店メダル占有値設定手順については、後述する。なお、この他店メダル占有値設定テーブル１８０の構成と、後述するメダル計数機２００に備えている他店メダル占有値設定テーブル２２３の構成とは同一の構成となっている。
【００６６】
（カメラサーバ５００の構成及び機能の詳細）
次に、図５を参照して、カメラサーバ５００の構成及び機能の詳細を説明する。図５は、カメラサーバ５００の内部構成を示す機能ブロック図である。同図に示すように、カメラサーバ５００は、ターミナルコントローラ１４０（図１）及び撮影カメラ４００と通信接続されており、制御部５１０と、メモリ５２０（記憶部）と、通信Ｉ／Ｆ部５３０とから構成される。
【００６７】
カメラサーバ５００は、撮影カメラ４００から送信される撮影情報を収集する機能を備えたサーバコンピュータであり、メダル計数機２００から送信された「警戒信号」を受信した際に、撮影カメラ４００に対して計数を行なう係員を一定時間撮影する「撮影開始信号」を送信する機能を備えている。
【００６８】
制御部５１０は、カメラサーバ５００による撮影を制御する機能を備えている。メモリ５２０（記憶部）は、撮影カメラ４００から送信される撮影情報を一時的に記憶する機能を備えている。通信Ｉ／Ｆ部５３０は、撮影カメラ４００と通信自在に接続され、この撮影カメラ４００から送信されるメダル計数機２００による撮影情報を収集する通信機能を備えている。
【００６９】
（メダル計数機２００の構成及び機能の詳細）
次に、図６を参照してメダル計数機２００の内部構成及び機能の詳細について説明する。すなわち、図６に示すように、メダル計数機２００の内部は、自店メダル登録部２１０と、メダル判別部２２０と、メモリ２３０と、他店メダル排除機構２４０と、表示部２５１（モニタ）と、表示制御部２５２と、各種指示入力を受け付ける操作部２６０と、制御部２６５と、メダル計数機構２７０と、電源部２８０と、通信Ｉ／Ｆ部２８５とを備えている。このメダル計数機２００は、２種類（通常メダル／沖縄メダル）のメダル（φ２５／φ３０）を計数する機能を備えており、自店で使用するメダルの表面及び裏面には、メダルを自店のメダルとして特定するための画像情報（模様／イメージ情報）が印刷或いは、刻印されている。
【００７０】
自店メダル登録部２１０は、特定情報登録部２１１と、自店メダル情報登録部２１２と、自店メダル登録テーブル２１４とを備えており、このうち、特定情報登録部２１１は、自店で所有するメダルの画像情報（模様／イメージ情報）を特定情報として登録する機能を備えている。また、自店メダル情報登録部２１２は、特定情報登録部２１１に基づいて、登録されたメダルの画像情報を自店／他店メダルの特定情報として登録する機能を備えている。
【００７１】
また、画像識別センサ２１３は、メダルホッパー内に投入されるメダルの表面及び裏面に印刷或いは、刻印されている特定の画像情報（模様／イメージ情報）を識別する機能を備えている。
【００７２】
なお、自店メダルの表面及び裏面に印刷或いは、刻印されている特定の画像情報（模様／イメージ情報）は、遊技店で開催されるイベントなどにより適宜、変更する場合がある。このため、特定情報登録部２１１には、１パターンの特定情報ではなく、複数種類の特定画像情報を登録できる機能を備えるようにしている。
【００７３】
自店メダル登録テーブル２１４は、自店メダル情報登録部２１２により登録された自店メダルの特定情報を記憶／格納する機能を備えている。この自店メダル登録テーブル２１４には、自店で所有する所定枚数分（約５０枚分）のメダルの表裏に印刷（刻印）されている画像情報（特定情報）をサンプルデータとして記憶／格納することができる。
【００７４】
（自店メダル登録テーブル２１４の構成）
以下、図７を参照して、自店メダル登録テーブル２１４の構成及び機能の詳細について説明する。図７は、メダル計数機２００に備えている自店メダル登録テーブル２１４の構成を示している。すなわち、図７に示すように、自店メダル登録テーブル２１４は、年（西暦）、月／日、時間（計数時間欄）と、係員ＩＤ欄と、自店メダルの登録枚数とが記憶される登録枚数欄とにより構成され、メダル計数機２００により遊技店内のメダルを自店のメダルとして登録した年月日及び登録を行なった係員のカードＩＤとに対応付けて、自店のメダルとして登録したメダルの枚数を記憶／格納する機能を備えたデータベースである。ここで、図７に示す自店メダル登録テーブル２１４では、２００３年１０月２日（１７時２３分１５秒）、係員（カードＩＤ「００２０８８」）により、メダル計数機２００で５０枚の自店メダルが登録されたことを示している。この自店メダルの登録手順については、後述する。
【００７５】
ここで、本例では、メダルの表面及び裏面に印刷或は刻印されている画像情報を、画像識別センサ２１３により識別し、特定登録情報として登録しているが、このような登録以外に、画像情報ではなくメダル自体の材質を登録したり、メダルの内部にＩＣチップを埋設することで、自店メダル他店メダルであるかの判別を行なうようにしてもよい。この場合、メダル計数機２００には、メダルの材質を検出する材質検出センサ或いはメダルの内部に埋設するＩＣチップを識別するＩＣチップリーダを搭載するようにする。
【００７６】
メダル判別部２２０は、他店メダル占有値設定部２２１と、判別センサ２２４とを備えており、自店メダル登録テーブル２１４に記憶／格納された自店メダルの特定情報に基づいて、メダルホッパー内に投入された複数枚のメダルが自店メダルか他店メダルであるかを判別する機能を備えている。ここで、前述したように比較対象となる判別手段としては、メダルに登録した画像情報以外に、メダルの内部にＩＣチップを埋め込み、このＩＣチップの特定データを読み取り比較することで、自店のメダルか他店のメダルかを判別することもできる。
【００７７】
具体的には、メダルの表面に印字或いは刻印された画像情報を読み取り、他のメダルの画像情報と比較する機能を備えている。すなわち、予め、自店で使用しているメダルの表面に印字或いは刻印された画像情報を登録し、この登録した画像情報と、メダル計数機２００に計数を目的として投入されたメダルの表面に印字或いは刻印された画像情報を読み取り、両者の画像情報を照合し、比較することで、自店のメダルであるか他店のメダル（他店外メダル）であるかの判定を行なう機能を備えている。
【００７８】
判別センサ２２４は、メダルホッパー内に投入されたメダルの表面及び裏面に印字或いは刻印された画像情報を読み取り、メダルが自店メダルか他店メダルかを判別する機能を備えている。具体的には、判別センサ２２４によってメダルホッパー内に投入されたメダル（表裏）の画像情報を検出し、その画像情報に基づく判別結果をメダル判別部２２０に出力する機能を備えている。
【００７９】
メダル判別部２２０は、判別センサ２２４により判別された画像情報を取得するとともに、この画像情報と予め、自店メダル登録テーブル２１４に記憶／格納された自店メダルの画像情報とを照合し、比較することで、自店メダルであるか他店メダルであるかの判定を行なうようにしている。なお、この判別センサ２２４は、メダルの模様を識別する画像識別センサ２１３と兼用することもできる。
【００８０】
また、他店メダル占有値設定部２２１は、他店メダル枚数の上限値（占有値）を設定する機能を備えている。前述したように、他店メダル枚数が他店メダル占有値設定部２２１により設定された上限値（占有値）以上の値となったと判定された場合、メダル計数機２００からターミナルコントローラ１４０に対して、「警戒信号」が送信されることとなる。
【００８１】
この他店メダル占有値設定部２２１により設定された他店メダルの上限値（占有値）は、他店メダル占有値設定テーブル２２３に記憶／格納される。ここで、他店メダル占有値設定テーブル２２３の構成は、前述した他店メダル占有値設定テーブル１８０（図４）と同様の構成であるため、詳細な説明は省略する。
【００８２】
メモリ２３０は、自店メダル枚数記憶部２３１と、他店メダル枚数記憶部２３２と、メダル枚数記憶部２３３と、自店／他店メダル情報データベース２３４とを備えている。このうち、自店メダル枚数記憶部２３１は、メダル判別部２２０により判別された自店のメダル枚数を記憶する機能を備えている。また、他店メダル枚数記憶部２３２は、メダル判別部２２０により判別された他店のメダル枚数を記憶する機能を備えている。
【００８３】
メダル枚数記憶部２３３は、後述するメダル計数機構２７０により計数されたメダル計数値の総数を記憶する機能を備えている。なお、自店メダル枚数記憶部２３１、他店メダル枚数記憶部２３２、メダル枚数記憶部２３３により記憶されたメダルの総枚数、自店メダル枚数、他店メダル枚数は、自店／他店メダル情報データベース２３４（図８）に記憶／格納される。
【００８４】
ここで、図８を参照して、自店／他店メダル情報データベース２３４の構成について説明する。すなわち、図８に示すように、自店／他店メダル情報データベース２３４は、メダル計数機２００による計数時の月／日に対応付けて、メダル計数機２００により計数されたメダルの総計数枚数と、自店メダルと判別された自店のメダル枚数と、他店メダルと判別された他店のメダル枚数とがそれぞれ記憶／格納されたデータベースである。図８に示す自店／他店メダル情報データベース２３４では、１０月１日にメダル計数機２００により計数を行なった際のメダルの計数値（メダルの総数が１３０００枚、自店メダルが１２３４５枚、他店メダルが６５５枚）が記憶／格納されている。
【００８５】
図６に戻り、他店メダル排除機構２４０は、自店で登録された正規のメダル以外のメダル（指定外メダル／他店で所有しているメダル）がメダル計数機２００に投入された場合に、この自店メダル以外のメダルを指定外メダル（他店メダル）として排除する機能を備えており、他店メダル分岐機構部２４１と、他店メダル搬送路２４２と排除された他店外メダルを回収する他店メダル回収ボックス２４５とにより構成される。この他店メダル排除機構２４０を構成する他店メダル分岐機構部２４１の詳細については、後述する。
【００８６】
表示部２５１は、例えば液晶表示器（ＬＣＤ表示画面）などにより構成され、遊技客によりメダルホッパー内に投入されたメダルの総枚数及び自店メダルの枚数と他店メダルの枚数とを区分して表示する機能を備えている（図１１−１）。なお、この表示部２５１は、従来と同様にカラー表示により景品数、余り数などの各種情報を表示する機能も備えている。表示制御部２５２は、表示部２５１による表示を制御する表示制御機能を備えている。
【００８７】
図１１−１は、表示部２５１（図６）に表示される表示例を示している。図１１−１に示すように、本例では、メダル計数機２００により計数されたメダル総枚数（１３０００枚）に対して、自店メダル総枚数が１２３４５枚で他店メダル総枚数が６５５枚であることを示している。これによって、遊技店では、自店のメダルとして計数された自店メダルの枚数以外に、他店のメダルとして計数された他店メダルの枚数を表示により正確に確認することができる。
【００８８】
制御部２６５は、メダル計数機２００全体を統括的に制御する機能を備えている。電源部２８０は、メダル計数機２００に対して、所定の電源（ＡＣ電源１００Ｖ）を供給する機能を備えている。
【００８９】
メダル計数機構２７０は、メダル計数機２００のメダルホッパー内に投入されたメダルの枚数をカウントするカウントセンサ２７５と、実際にメダルの計数（カウント）を行なうメダル計数部２７１と、メダルホッパー内に投入されたメダルを搬送するメダル搬送部２７２とを備えている。
【００９０】
通信Ｉ／Ｆ部２８５は、メダル計数機２００に接続されたレシート・カード端末機３００（図１０）の通信Ｉ／Ｆ部３９５と、相互に通信を行なうための機能を備えている。具体的には、メダル計数機２００の通信Ｉ／Ｆ部２８５からレシート・カード端末機３００の通信Ｉ／Ｆ３９５（図１０）を通じて、メダルの計数枚数（メダル総枚数／自店メダル枚数／他店メダル枚数）を送信する機能を備えている。
【００９１】
（メダル計数機構２７０及び他店メダル分岐機構部２４１の構成）
次いで、図９を参照して、図６に示したメダル計数機構２７０及び前述した他店メダル分岐機構部２４１の詳細について説明する。なお、この図９において、自店メダルの画像情報を「模様Ａ」とし、他店メダルの画像情報を「模様Ｂ」としてい示している。すなわち、前述した図６に示したように、メダル計数機構２７０は、メダルの計数を行なうメダル計数部２７１と、遊技店の店員や遊技客により投入された複数枚のメダルの搬送を行なうメダル搬送部２７２とにより構成される。図９に示すように、メダル搬送部２７２は、他店メダル分岐機構部２４１によりメダルの搬送経路が２方向に分岐する自店メダル搬送路２７３と他店メダル搬送路２４２とにより構成されている。
【００９２】
また、メダルが搬送されるメダル搬送部２７２の途中には、メダルの計数を行なうカウントセンサ２７５とメダルの判別を行なう判別センサ２２４（イメージセンサ）とを有するセンサユニット２７６が配置されている。そして、係員或いは遊技客によりメダル計数機２００のメダルホッパー内に投入された複数のメダルは１枚づつ、メダル搬送部２７２を搬送中にカウントセンサ２７５により検出されるとともに、メダル計数部２７１による計数が行なわれ、次いで、判別センサ２２４により１枚づつメダルが自店のメダル或いは他店のメダルであるかが判別されることとなる。なお、この場合、メダルの計数及び判別はほぼ同時に行なわれる。
【００９３】
ここで、他店メダル分岐機構部２４１は、例えば、メダル搬送部２７２を移動するメダルの搬送経路をソレノイドなどの作動によりメダルの搬送経路を自店メダル搬送路２７３或いは他店メダル搬送路２４２とに振り分ける振り分け板などにより構成することができ、この他店メダル分岐機構部２４１は、判別センサ２２４及びメダル判別部２２０によりメダルが他店のメダルであると判別した場合、図９に示すように、反時計方向に作動するようになっている。
【００９４】
ここで、図９に示すように、判別センサ２２４により、メダルホッパー内に投入されメダル搬送部２７２を移動するメダルが自店メダルと判別された場合、他店メダル分岐機構部２４１は作動しないようになっているため、自店メダルは、そのままメダル搬送部２７２を通じて、自店メダル搬送路２７３を経由して搬送される。一方、判別センサ２２４によりメダルが他店メダルと判別された場合、他店メダル分岐機構部２４１が作動し、これにより搬送中のメダルは、メダル搬送部２７２から他店メダル搬送路２４２を通じて、他店メダル回収ボックス２４５（図６）に回収されることとなる。
【００９５】
ここで、遊技店では、この遊技店の閉店時や定休日などを利用して、遊技客に貸し出すメダル貸出機１１０内に貯留しておくメダルを全て自店メダルとする業務がある。このため、このメダル計数管理システムを利用することにより他店メダルの排除を効率良く作業を行なうことができる。具体的には、メダル貸出機１１０内のメダルを全てメダル計数機２００に投入することにより、他店メダル排除機構２４０により他店メダルを正確且つ、効率的に排除することができる。
【００９６】
（レシート・カード端末機３００の構成及び機能の詳細）
次に、図１０を参照して、メダル計数機２００に接続されるレシート・カード端末機３００の構成及び機能の詳細について説明する。
【００９７】
レシート・カード端末機３００は、メダル計数機２００の表示部２５１（図６）に表示されたメダル計数値（メダルの総枚数及び自店メダルの枚数と他店メダルの枚数）をレシートに印字（プリント）し、このレシート（図１１−２）をレシート発行口３５０から出力（排紙）する機能を備えている。また、このレシート・カード端末機３００は、会員用の会員カードの挿入時に、会員を特定する識別ＩＤに関連付けて、会員が遊技により獲得したメダル枚数及び累積枚数（貯メダル枚数）を、会員カードに記録する機能を備えている。
【００９８】
すなわち、図１０に示すように、レシート・カード端末機３００は、表示部３３１と表示制御部３３１ａと操作部３３２と、レシート発行設定部３３２ａとからなる表示パネル部３３０と、カード挿入／返却口３４０と、レシート発行口３５０と、制御部３８０と、カード情報読取部３６０と、印字部３７０と、メモリ３７５と、電源部３９０と、通信Ｉ／Ｆ部３９５とにより構成されている。
【００９９】
表示パネル部３３０は、表示部３３１及びテンキー（０〜９）と、確認キーと、取消キーなどが配置された操作部３３２とを備えたタッチパネル式に構成されている。係員用のＩＤカードや会員カードの挿入時には、操作部３３２によるテンキーの入力操作により、暗証番号などを入力することができる。また、本例では、この表示パネル部３３０（表示部３３１）にメニュー画面（図１２）を表示することができる。そして、このメニュー画面により、後述する各登録／設定モード（１．自店メダル登録、２．他店メダル占有値登録、３．レシート発行設定）による登録或いは、設定を行なうことができる。表示制御部３３１ａは、表示部３３１による表示を制御する表示制御機能を備えている。
【０１００】
操作部３３２は、確認スイッチや取消スイッチなどの各種機能スイッチ、さらには係員の暗証番号を入力するためのテンキースイッチ（０〜９）を配置して構成したものであり、具体的には、係員が自店メダルの登録を行なう時などにＩＤカードをカード挿入／返却口３４０に挿入した際、テンキー操作により暗証番号を入力する場合に使用される。
【０１０１】
レシート発行設定部３３２ａは、メダル計数機２００の表示部２５１（図６）に表示されたメダルの各計数値（枚数）をレシートに印字することを設定する機能を備えている。具体的には、メダルの総枚数及び自店メダルの枚数と他店メダルの枚数とを、レシート・カード端末機３００により印字する機能を備えており、このレシート発行設定部３３２ａによりレシート・カード端末機３００のレシート発行口３５０から各メダルの計数値を印字したレシート（図１１−２）を発行することができ、前述したように、この設定はメダル計数機２００の表示部２５１に表示されたメニュー画面の「レシート発行設定モード」により設定することができる。なお、このレシート発行設定部３３２ａによる設定手順の詳細は、後述する。
【０１０２】
カード挿入／排出口３４０は、遊技店内の係員が所有する係員用のＩＤカードや会員用の会員カードを受け入れて、これら各カードをカード情報読取部３６０に取り込むとともに、このカード情報読取部３６０において所定の処理を施した後、各カードを再度、返却するための開口部である。ここで、係員用のＩＤカードは、遊技店内の係員が所有するとともに、係員個々を認証するための識別カードで、このＩＤカードには、個別のＩＤ番号（例えば、００２３６９）が記録されている。
【０１０３】
カード情報読取部３６０は、係員用のＩＤカードや会員カードに記録されたカード情報を読み取る機能を備えており、カード挿入／排出口３４０から挿入された係員用のＩＤカードや会員カードに記録された記録情報（識別ＩＤ）を読み取る機能（リード）機能を有している。具体的には、カード情報読取部３６０を構成する磁気ヘッドにより、各カードに記録されたカード情報の読み取りを行なうことができる。
【０１０４】
印字部３７０は、メダル計数機２００の表示部２５１（図６）に表示される遊技客或は係員により投入されたメダルの総枚数及び自店メダルの枚数と他店メダルの枚数を、印字（プリント）する機能を備えている。この印字部３７０により印字されたレシートは、レシート発行口３５０から発行することができる。
【０１０５】
図１１−２は、レシート・カード端末機３００の印字部３７０により印字されるレシートの一例を示している。この図１１−２に示すように、本例では、メダル計数機２００により計数されたメダル総枚数（１３０００枚）に対して、自店メダル（当店メダル）の総枚数が１２３４５枚で他店メダル総枚数が６５５枚であることを示している。これによって、遊技店では、自店のメダルとして計数されたメダルの枚数値以外に、他店のメダルとして計数されたメダルの枚数をレシートにより正確に確認／管理することができる。
【０１０６】
なお、この図１１−２において、レシート発行口３５０から発行されるレシートの余白位置（或は、バーコード内部の記録情報）には、同図に示すように、メダルの計数値（メダル総枚数、自店メダル数、他店メダル数）の他に、他店メダル枚数が上限値（占有値）以上の値となった際には、警戒状態を示す異常（不正）が発生した旨を表す表記を印字するようにしてもよい。この場合、レシートに印字された警戒を示す印字などにより、不正な計数に対する対応を即座に行なうことができる。
【０１０７】
図１０に戻り、メモリ３７５は、メダル計数機２００の表示部２５１（図６）に表示されたメダルの総枚数及び自店メダルの枚数／他店メダルの枚数とを一時的に記憶する機能を備えている。
【０１０８】
制御部３８０は、レシート・カード端末機３００全体の制御を行なうためのＯＳ（Operating System）などの制御プログラム及びメダルの印字処理に係わる種々の処理を実行する処理部としての機能を備えている。
【０１０９】
電源部３９０は、レシート・カード端末機３００に対して所定の電源を供給する機能を備えている。通信Ｉ／Ｆ部３９５は、メダル計数機２００の通信Ｉ／Ｆ部２８５（図６）との間で、相互にデータの送受信を行なうインターフェースとして機能する。具体的には、メダル計数機２００からメダルの計数値（メダルの総枚数及び自店メダルの枚数と他店メダルの枚数）を受信する機能を備えている。
【０１１０】
次いで、図１２を参照して、レシート・カード端末機３００の表示パネル部３３０（表示部３３１）に表示されるメニュー画面の構成について説明する。図１２は、メニュー画面を示す表示例の一例を示す図である。
【０１１１】
すなわち、図１２に示すように、このメニュー画面に表示された各登録／設定モード（１．自店メダル登録、２．他店メダル占有値登録、３．レシート発行設定・・・）のうち、いずれかを選択することにより、所定の登録／設定操作を実行することができる。ここで、自店メダル登録モードは、自店のメダルを特定する画像情報を画像識別センサ２１３（図６）で読み込んで登録するモードである。
【０１１２】
他店メダル占有値登録モードは、他店のメダルの上限値（占有値）を設定するモードであり、この他店メダル占有値登録モードにより設定された上限値（占有値）に基づいて、メダル計数機２００からターミナルコントローラ１４０に警戒信号を送信することができる。
【０１１３】
また、レシート発行設定モードは、メダル計数機２００の表示部２５１（図６）に表示されたメダルの計数値をレシートに印字し、レシート発行口３５０（図１０）から発行するか否かを設定するモードである。このレシート発行設定モードの設定によりレシート発行口３５０からメダル計数機２００の表示部２５１（図６）に表示された計数値が印字されたレシートを発行することができる（図１１−２）。
【０１１４】
（自店メダル登録モードによる自店メダルの登録設定手順）
以下、図１３−１〜図１３−４の表示例を参照して、自店メダル登録モードによる自店メダルの登録手順を説明する。図１３−１は、レシート・カード端末機３００の表示パネル部３３０（表示部３３１）に表示されるメニュー画面を、図１３−２は、メダルの投入指示画面を、図１３−３は、自店メダルの登録途中の画面を、図１３−４は、登録完了画面をそれぞれ示している。
【０１１５】
すなわち、係員が、図１３−１に表示されたメニュー画面の各登録／設定モード（１．自店メダル登録、２．他店メダル占有値登録、３．レシート発行設定・・・）のうち、「１．自店メダル登録」を選択することにより、メニュー画面には、所定枚数分（本例では、５０枚）のメダルの投入を指示する指示画面に切り換わる。具体的には、表示部３３１に「メダルを５０枚投入して下さい」などのガイダンスが表示される（図１３−２）。
【０１１６】
以下、メダル計数機２００にメダルを投入すると（投入後に、「ＯＫボタン」押下）、表示部３３１の表示は、メダルの表面と裏面の画像を読み込んで登録する「登録中・・・」に切り換わり（図１３−３）、次いで、「登録完了しました」（図１３−４）となり、これによって、自店メダルの登録が完了するものとなる。
【０１１７】
この図１３−１〜図１３−４の手順により登録された自店メダルの登録情報は、自店メダル登録部２１０（図６）の自店メダル情報登録部２１２により登録され、以降、この自店メダル情報は、自店メダル登録テーブル２１４に記憶／格納される。そして、この自店メダル登録テーブル２１４に記憶された自店のメダル情報に基づいて、自店メダルと他店メダルとの判別が行なわれる。
【０１１８】
（他店メダルの占有値設定手順）
以下、図１４−１〜図１４−４の表示例を参照して、他店メダル占有値登録モードによる他店メダル占有有の登録手順を説明する。ここで、図１４−１は、他店メダル占有値登録モード選択時の表示例を、図１４−２は、他店メダル占有値（上限値）の入力指示画面を、図１４−３は、他店メダルの上限値設定中の画面を、図１４−５は、他店メダル上限値の設定完了時の画面を示す表示例をそれぞれ示している。
【０１１９】
すなわち、係員が図１４−１に示すメニュー画面に表示された各登録／設定モード（１．自店メダル登録、２．他店メダル占有値登録、３．レシート発行設定・・・）のうち、「２．他店メダル占有値登録」を選択することにより、メニュー画面は、他店メダルの上限値（占有値）を設定する設定画面に切り換わり（図１４−２）、以下では、この設定画面に対する操作部３３２（図１０）によるテンキー入力により他店メダルの上限値を設定することができる。
【０１２０】
具体的には、テンキー入力により、例えば、上限値として４０枚を入力すると、表示部３３１の表示は、「上限値設定中・・・」（図１４−３）となり、以下、上限値（４０枚）の登録が完了すると「設定完了しました」（図１４−４）となり、ターミナルコントローラ１４０に対して、「警戒信号」を送信する条件となる他店メダルの上限値（占有値）の設定が完了するものとなる。
【０１２１】
なお、この他店メダル占有値登録により設定された他店メダルの上限値（占有値）は、他店メダル占有値設定部２２１により、他店メダル占有値設定テーブル２２３（図６）に登録されることとなる。
【０１２２】
（レシート発行設定モードの設定）
以下、図１５−１、図１５−２を参照して、レシート発行設定モードによるレシートの発行設定操作手順を説明する。図１５−１は、レシート発行設定モードの選択時の画面を、図１５−２は、レシート発行の設定画面を示す表示例である。すなわち、係員が、図１５−１に表示されたメニュー画面の各登録／設定モード（１．自店メダル登録、２．他店メダル占有値登録、３．レシート発行設定・・・）のうち、「３．レシート発行設定」を選択することにより、メニュー画面は、レシートの発行を、「１．設定する、２．設定しない」を選択する選択画面に切り換わり（図１５−２）、この図１５−２に示す選択画面からレシートの発行を設定すると（テンキーで、「１」の入力）、メダル計数機２００の表示部２５１（図６）に表示された計数値をレシートに印字し、レシート・カード端末機３００のレシート発行口３５０（図１０）から、これら各メダルの計数値を印字したレシート（図１１−２）を発行することができる。
【０１２３】
（メダル貸出機１１０の構成及び機能）
次に、図１６を参照してメダル貸出機１１０の構成及び機能の詳細について説明する。図１６は、メダル貸出機１１０の全体構成の機能ブロック図を示している。メダル貸出機１１０は、紙幣投入口１１１と、メダル枚数／エラー表示部１１２と、メダル投出装置１１３と、メモリ１１４と、紙幣識別装置１１５と、電源部１１６と、メダル貸出機１１０全体の制御を行なう貸出制御部１１７と、島コントローラ１２０との間で通信を行なう通信Ｉ／Ｆ部１１８と、メダル貸出機１１０からメダルを投出するメダル投出口１１９とを備えている。また、図示しないメダルを補給するためのメダル補給ドア、メダル補給から補給された所定量のメダルを貯留する補助タンクなどを備えている。
【０１２４】
紙幣投入口１１１は、遊技客から投入された紙幣を受け入れて、この紙幣を紙幣識別装置１１５に取り込むための開口部である。この紙幣投入口１１１には、例えば、１０００円の紙幣を投入することができる。
【０１２５】
メダル枚数／エラー表示部１１２は、紙幣の投入時、メダル貸出機１１０から投出されるメダルの枚数及びエラーの発生時にエラー内容（エラー情報）を表示する機能を有している。
【０１２６】
メモリ１１４は、一時的に紙幣の金額情報、メダルの投出情報などを記憶する記憶部である。紙幣識別装置１１５は、紙幣投入口１１１から投入された紙幣が正常であるかを識別する機能を備えており、正常と判定された紙幣を内部に収納する。一方、この紙幣識別装置１１５による判定により、識別不能と判定された不良紙幣などは紙幣投入口１１１を通じて返却される。
【０１２７】
電源部１１６は、メダル貸出機１１０に対して所定の電源を供給する機能を備えている。貸出制御部１１７は、メダル貸出機１１０の各処理部を一括して制御する全体コントロール機能を備えている。この貸出制御部１１７は、紙幣の挿入にともなって、メダル投出口１１９から所定枚数のメダルを投出するメダル投出装置１１３に対してメダルの投出要求を通知することができる。
【０１２８】
通信Ｉ／Ｆ部１１８は、島コントローラ１２０との間で相互にデータの送受信を行なうインターフェースとして機能する。
【０１２９】
（自店メダルの登録手順）
次に、前述した図１３−１〜図１３−４及び図１７のフローチャートを参照して、自店で所有するメダルを自店の指定メダルとして登録する自店メダル登録手順の詳細を説明する。すなわち、図１７のフローチャートに示すように、先ず、レシート・カード端末機３００のカード挿入／返却口３４０（図１０）に係員ＩＤカードを挿入すると（ステップＳ１１０）、カード情報読取部３６０（図１０）により係員ＩＤカードによるカードＩＤを読み取るとともに、次いで、係員ＩＤカードを挿入した係員に対して暗証番号の入力を要求する暗証番号入力要求を行なう（ステップＳ１１１）。具体的には、レシート・カード端末機３００の表示パネル部３３０（図１０）の表示部３３１に「暗証番号を入力して下さい」などのガイダンスを表示する。
【０１３０】
ここで、暗証番号の入力指示要求を表示部３３１の表示により確認した係員がテンキー入力（操作部３３２による入力）により暗証番号を入力すると（ステップＳ１１２肯定）、以下、表示部３３１にメニュー画面（図１２）が表示された後、係員の選択により「自店メダル登録モード」に移行する（ステップＳ１１３）。
【０１３１】
前述したように、この「自店メダル登録モード」は、表示部３３１に、表示される「メニュー画面」から「自店メダル登録」を選択し、自店メダルの登録枚数を設定する処理手順である。この「メニュー画面」に表示される各登録／設定モードは、「１．自店メダル登録」、「２．他店メダル占有値登録」、「３．レシート発行設定」であり、本例では、このうち「自店メダル登録」を選択することとなる。すなわち、この「自店メダル登録モード設定」は、図１３−１から図１３−２に示すように、表示部３３１に表示されるメニュー画面から「自店メダル登録」を選択することにより行なわれる（ステップＳ１１４）。そして、図１３−２の選択画面により「１．自店メダル」を選択すると、図１３−３に示すように、レシート・カード端末機３００の表示部３３１には、メダルの投入指示メッセージが表示される（「メダルを５０枚投入して下さい」）。
【０１３２】
以下、この投入指示メッセージにより係員が、メダルを所定枚数（本例では、５０枚）投入すると、画像識別センサ２１３（図６）により投入されたメダル５０枚の画像情報の読み込むとともに、この読み取られた画像情報の登録が行なわれる。具体的には、ステップＳ１１６の処理により取得された所定枚数分（約５０枚分）のメダルの表裏に印刷（刻印）されている画像情報（特定情報）をサンプルとして取得することができる。
【０１３３】
すなわち、図１７のフローチャートに示すように、メダルホッパーに投入されたメダルの枚数が５０枚以上になったか否かの判定をおこない（ステップＳ１１５）、このステップＳ１１５の判定により、投入したメダルの枚数（Ｎ）が５０枚以上（５０枚≦Ｎ枚）になった場合には（ステップＳ１１５肯定）、以下、自店メダル情報の登録処理に移行する（ステップＳ１１６）。この時、表示部３３１（図１０）の表示は、図１３−３に示すように、「登録中」となっている。この自店メダル情報の登録は、画像識別センサ２１３により読み込んだ５０枚分の自店メダルの画像情報（メダルの表裏画像情報）を自店メダル登録テーブル２１４（図７）に記憶／格納する処理である。
【０１３４】
すなわち、図１７のフローチャートに示すように、画像情報の保存が終了したかの判定により（ステップＳ１１７）、自店メダルの画像情報の保存が終了すると（ステップＳ１１７肯定）、レシート・カード端末機３００から係員ＩＤカードを返却し、全ての処理を終了する（エンド）。ここで、自店のメダル画像情報（５０枚）を自店メダル登録テーブル２４（図７）に記憶／格納すると、表示部３３１の表示は、図１３−５に示すように、「登録完了しました」となる。以上のように、本実施例では、この「自店メダル登録モード」により登録された自店のメダル情報（特定画像情報）を利用して自店メダルと他店メダルとの判別を行なうこととなる。
【０１３５】
（他店メダルの占有値設定手順）
次に、前述した図１４−１〜図１４−４及び図１８のフローチャートを参照して、他店メダルの上限値（占有値）を設定する処理手順の詳細を説明する。すなわち、図１８のフローチャートに示すように、先ず、レシート・カード端末機３００のカード挿入／返却口３４０（図１０）に係員ＩＤカードを挿入すると（ステップＳ１１０）、カード情報読取部３６０（図１０）により係員ＩＤカードに記憶されたカードＩＤを読み取るとともに、次いで、係員ＩＤカードを挿入した係員に対して暗証番号の入力を要求する暗証番号入力要求を行なう（ステップＳ１１１）。具体的には、レシート・カード端末機３００の表示パネル部３３０（表示部３３１）に「暗証番号を入力して下さい」などのガイダンスを表示して、暗証番号の入力を促す。
【０１３６】
ここで、暗証番号の入力指示要求を表示部３３１の表示により確認した係員がテンキー入力（操作部３３２による入力）により暗証番号を入力すると（ステップＳ１１２肯定）、以下、「他店メダル占有値設定モード」に移行する（ステップＳ１１３）。前述したように、この「他店メダル占有値設定モード」は、表示部３３１に、表示される「メニュー画面」から「他店メダル占有値登録」を選択し、他店メダルの上限値（占有値）を設定する処理手順である。
【０１３７】
前述したように、この「メニュー画面」に表示される各登録／設定モードは、「１．自店メダル登録」、「２．他店メダル占有値登録」、「３．レシート発行設定」であり、本例では、このうち「他店メダル占有値登録」を選択することとなる（図１４−１）。すなわち、図１８のフローチャートに示すように、他店メダルの上限値設定が完了（ＯＫ？）したかの判定により（ステップＳ１１７）、他店メダルの上限値設定が完了した場合には（ステップＳ１１７肯定）、次いで、このステップＳ１１７により設定した他店メダルの上限値を他店メダル占有値設定テーブル２２３（図６）に記憶／格納する（ステップＳ１１８）。
【０１３８】
具体的に説明すると、図１４−２に示すように、上限値設定画面により、テンキー入力により上限値（本例では、４０枚）が設定されると、この時、表示部３３１の表示は、図１４−３に示すように、「上限値設定中」となる。
【０１３９】
以下、この他店メダル占有値の設定手順により設定された他店メダルの占有値は、他店メダル占有値設定テーブル２２３（図６）に記憶／格納される。この時、表示部３３１の表示は、図１４−４に示すように、「設定完了しました」となる。後述するように、この他店メダル占有値設定テーブル２２３により登録された他店メダル枚数に基づいて、撮影カメラ４００による撮影の有無を行なうこととなる。なお、図１４に示した他店メダル占有値設定テーブル２２３（図６）の場合、係員（カードＩＤ：００２３６９）により他店メダルの上限枚数が４０枚として設定されたことを示している。以下、図１８のフローチャートに示すように、レシート・カード端末機３００から係員ＩＤカードを返却し、全ての処理を終了する（エンド）。
【０１４０】
（メダル計数機２００によるメダルの計数管理手順）
次に、図１９のフローチャートを参照して、本実施例に係るメダルの計数管理手順を詳細に説明する。この図１９に示すフローチャートは、ターミナルコントローラ１４０と、メダル計数機２００と、撮影カメラ４００との間で行なわれるメダル計数の管理手順を示している。ここで、以下の図１９に示すフローチャートでは、他店メダル占有値設定部２２１（図６）により他店メダルの上限値（占有値）を、４０枚に設定したとして説明する。
【０１４１】
すなわち、図１９のフローチャートに示すように、先ず、レシート・カード端末機３００（図１０）のカード挿入／返却口３４０に係員がＩＤカードを挿入すると（ステップＳ２１０）、カード情報読取部３６０により係員ＩＤカードのカードＩＤを読み取るとともに、次いで、係員ＩＤカードを挿入した係員に対して暗証番号の入力を要求する暗証番号の入力要求を行なう（ステップＳ２２０）。具体的には、レシート・カード端末機３００の表示パネル部３３０の表示部３３１に所定のガイダンス（例えば、「暗証番号を入力して下さい」など）を表示する。
【０１４２】
ここで、暗証番号の入力指示要求を表示部３３１の表示により確認した係員がテンキー入力（操作部３３２による入力）により暗証番号を入力すると（ステップＳ２３０肯定）、次いで、係員がメダルをメダル計数機２００（メダルホッパー内）に投入したかの判定が行なわれ（ステップＳ２４０）、このステップＳ２４０の判定により、メダルが投入されたと判定された場合（ステップＳ２４０肯定）、以下、このメダルホッパー内に投入された複数枚のメダルを対象とするメダルの計数処理及び投入されたメダルが自店メダルか他店メダルであるかを判別する判別処理（メダル計数・判別処理）に移行する（ステップＳ２５０）。
【０１４３】
このメダル計数・判別処理は、メダル計数機構２７０（図６）のメダル計数部２７１に設けられたセンサユニット２７６内のカウントセンサ２７５によって、メダルホッパー内に投入されたメダルの計数を行なうとともに、判別センサ２２４によって、投入されたメダルの画像情報に基づいて、メダルの判別を行なう処理である。
【０１４４】
すなわち、ステップＳ２５０により判別された他店メダル枚数と予め設定された上限値（占有値）との比較処理を行なう（ステップＳ２６０）。この他店メダル枚数と上限値（占有値）との比較処理は、ステップＳ２５０により判定された他店のメダル枚数と、予め登録（設定）されている他店メダルの上限値（占有値）とを比較する処理である。具体的には、他店メダルの枚数（Ｍ枚）が予め設定した他店メダルの上限値（本例では、上限枚数４０枚）まで到達したかの判定（「上限値（４０枚）≦他店メダル枚数（Ｍ枚）？」）を行なう（ステップＳ２７０）。
【０１４５】
そして、このステップＳ２７０の判定により、他店メダルの枚数（Ｍ枚）が上限値（４０枚）に到達したと判定された場合（ステップＳ２７０肯定）、メダル計数機２００からターミナルコントローラ１４０に対して、他店メダル数が上限値に到達したことを示す「警戒信号」を送信する（ステップＳ２８０）。
【０１４６】
なお、ステップＳ２７０の判定により、他店メダルの枚数（Ｍ枚）が上限値（４０枚）に到達していないと判定された場合には（ステップＳ２７０否定）、ステップＳ３００に移行し、メダルの計数が全て終了したかの判定を行なう（ステップＳ３００）。すなわち、メダルの計数が全て終了するまで、ステップＳ２５０のメダル計数・判別処理によるメダルの計数処理とともに、メダルの判別処理を行なうこととなる。
【０１４７】
一方、ターミナルコントローラ１４０は、メダル計数機２００から他店メダルの枚数が上限枚数に到達したことを示す「警報信号」が送信されたかの判定を行ない（ステップＳ２８１）、このステップＳ２８１の判定により、メダル計数機２００から「警報信号」を受信したと判定された場合（ステップＳ２８１肯定）、ターミナルコントローラ１４０は撮影カメラ４００に対して「撮影開始信号」を送信する（ステップＳ２８２）。
【０１４８】
以降、ターミナルコントローラ１４０は、撮影カメラ４００に「撮影開始信号」を送信した後では、撮影カメラ４００による撮影時間をカウントしており、所定時間の撮影が完了（所定時間経過）したと判定された場合（ステップＳ２８３肯定）、このターミナルコントローラ１４０から撮影カメラ４００に対して、「撮影停止信号」を送信することとなる（ステップＳ２８４）。
【０１４９】
一方、撮影カメラ４００は、ターミナルコントローラ１４０から送信された「撮影開始信号」を受信すると（ステップＳ２８５肯定）、メダル計数機２００の周囲を撮影する撮影モードに移行する（ステップＳ２８６）。ここで、この場合の撮影対象は、メダル計数機２００により実際に計数を行なう係員／遊技客が対象となり、この撮影カメラ４００により、メダル計数機２００及び係員（遊技客）を対象とする撮影を所定時間行なうことになる。
【０１５０】
具体的には、ターミナルコントローラ１４０から送信された「撮影停止信号」を受信した撮影カメラ４００は（ステップＳ２８７肯定）、撮影を中止するとともに（ステップＳ２８８）、次いで、この撮影カメラ４００により撮影した撮影情報をターミナルコントローラ１４０に送信する（ステップＳ２８９）。なお、前述したように、ステップＳ２８７により撮影カメラ４００からターミナルコントローラ１４０に対して送信される撮影情報は、この撮影カメラ４００により撮影された計数を行なう係員の画像情報と、この係員の係員ＩＤとを含む情報である。
【０１５１】
一方、ターミナルコントローラ１４０は、メダル計数機２００から送信される撮影情報を受信すると（ステップＳ２９０肯定）、この受信した撮影情報を記憶／格納する（ステップＳ２９１）。この撮影情報は、計数情報データベース１７０（図３）に記憶／格納される。
【０１５２】
ここで、メダル計数機２００の処理手順に戻り、ステップＳ３００の判定によりメダルの計数が全て終了したと判定された場合（ステップＳ３００肯定）、次いで、ターミナルコントローラ１４０に対して、ステップＳ２５０により計数処理されたメダルの計数値（メダルの総枚数、自店のメダルと判別された自店メダルの枚数、他店メダルと判別された他店メダルの枚数）を送信し（ステップＳ３１０）、以下、メダル計数結果の表示処理に移行する（ステップＳ３２０）。
【０１５３】
このメダル計数結果の表示処理は、メダル計数機２００の表示部２５１（図６）に、ステップＳ２５０により計数処理されたメダルの総枚数、自店のメダルと判別された自店メダルの枚数、他店メダルと判別された他店メダルの枚数をそれぞれ表示する処理である。これによって、遊技店では、メダルの総枚数及び自店のメダルとして計数されたメダルの枚数以外に、他店のメダルとして計数されたメダルの枚数を目視により正確に把握することができる。
【０１５４】
以下、メダル計数機２００は、レシート・カード端末機３００（図１０）の印字部３７０によりメダルの計数値（メダル総枚数、自店メダル枚数、他店メダル枚数）をレシートに印字し、このメダルの計数値が印字されたレシートをレシート発行口３５０から発行する（ステップＳ３３０）。次いで、レシート・カード端末機３００のカード挿入／排出口３４０から係員ＩＤカードを返却し（ステップＳ３４０）、以下、全ての処理を終了する（エンド）。
【０１５５】
一方、ターミナルコントローラ１４０は、メダル計数機２００から送信されるメダルの計数情報を受信すると（ステップＳ３１１肯定）、この受信したメダルの計数情報を記憶／格納する（ステップＳ３１２）。以降、ターミナルコントローラ１４０は、この計数情報データベース１７０に記憶された計数情報に基づいて、メダルの計数管理を行なうものとなる。
【０１５６】
ここで、図１９に示すフローチャートでは他店メダルの枚数が上限値（占有値）に到達したと判定された際に、ターミナルコントローラ１４０に対してメダル計数機２００から「警戒信号」を送信し、メダル計数時の撮影情報を取得するようにしているが、さらに、メダル計数機２００にパトライトなどの警報装置を設け、他店メダル枚数が上限値（占有値）に到達したと判定された際に、「警戒信号」の送信とともに、パトライトを点滅させることにより、周囲に警報を報知するようにしてもよい。
【０１５７】
また、ターミナルコントローラ１４０においても、メダル計数機２００から送信された「警戒信号」を受信した際に、遊技店内の各係員に対して、インカムを通じて他店メダルが大量に混入したことを知らせる警報を通知するようにしてもよい。この場合、メダル計数管理システムによる不正な計数（他店メダルの混入）に対する防止対策及びセキュリティ機能を向上することができる。
【０１５８】
以上説明したように、本実施例に係るメダル計数管理システムによれば、メダル計数機２００によるメダルの計数時に、自店メダルか他店メダルかをメダル判別部２２０により判別し、このメダル判別部２２０により判別された他店メダル数が、予め設定したメダルの上限値（占有値）以上の値となった場合に、ターミナルコントローラ１４０に対して、他店メダルの混入割合（占有枚数）が多い旨を知らせる「警戒信号」を送信するとともに、ターミナルコントローラ１４０は、メダル計数機２００から警戒信号が送信された際に、撮影カメラ４００に対して、メダル計数機２００により計数を行なった人物（係員／遊技客）を撮影する「撮影開始信号」を送信し、この撮影カメラ４００により撮影された人物の撮影情報に関連付けて、メダルの計数値（メダル総枚数／他店メダル枚数）を計数情報データベース１７０（図３）に記憶し、この記憶された撮影情報に基づく管理を行なうので、撮影カメラ４００によって撮影された撮影情報に基づいて、所定量（上限値）以上の他店メダルの計数を行なった操作者の状況を正確に把握（特定）することができる。
【０１５９】
また、他店メダル枚数を正確に把握することができるうえ、他店から大量に他店メダルが持込まれた場合を想定とする不正な計数に対する防止対策に基づくメダル計数管理システムを実現することができる。
【０１６０】
（他の実施例）
さて、これまで本発明の実施例について説明したが、本発明は上述した実施例以外にも、上述した特許請求の範囲に記載した技術的思想の範囲内において種々の異なる実施例にて実施することができる。すなわち、本実施例では、本発明に係るメダル計数管理システムをパチスロ遊技に適用した場合を示しているが、本発明のメダル計数管理システムは、パチスロ遊技に限定することなく、例えば、パチンコ機による遊技媒体計数システムにも好適に適用することができる。
【０１６１】
また、前述した実施例によるメダル計数管理システムでは、自店メダル登録部２１０の特定情報登録部２１１により自店メダルの画像情報を登録しているが、画像識別センサ２１３（判別センサ２２４）により他店メダルの画像情報を読み取ることができるため、メダルの計数時に非自店メダル（他店メダル）として判別されたメダルの画像情報を一時的に記憶し、この他店メダルの画像情報をメダル計数機２００からターミナルコントローラ１４０に送信する構成とすることもできる。
【０１６２】
この場合、ターミナルコントローラ１４０では、メダル計数機２００により計数された他店メダルの計数情報に関連付けて、この他店メダルの画像情報も記憶するようにし、適宜、この他店メダルの画像情報をモニタ１４２（図２）に表示できるようにしてもよい。この場合、メダル計数機２００に投入される他店メダルの混入割合とともに、使用頻度の高い他店メダルの画像情報の概要を把握することができる。なお、ターミナルコントローラ１４０に記憶される非自店メダルの画像情報は、取得された全ての画像情報ではなく選択的に抽出された画像情報とする。
【０１６３】
また、前述した実施例によるメダル計数管理システムでは、メダル計数機２００による計数が完了するまで、メダル判別部２２０（図６）により、自店メダルと他店メダルとの判別を行なっているが、これに限らず、初期に判別した他店のメダル枚数に応じて、他店から持ち込まれた他店メダルの枚数が多いと推測された場合にのみ、メダルの判別処理を継続して行なうようにし、初期に判別した他店メダルの枚数が少ない場合、メダルの判別処理を一時的に中断するようにしてもよい。この場合、メダルの計数速度を低下させることなく、効率的にメダルの判別処理及び自店メダル及び他店メダルの計数管理を行なうことができる。
【０１６４】
また、前述した実施例によるメダル計数管理システムでは、メダル計数機２００に接続されたレシート・カード端末機３００からメダルの計数値（メダル総枚数、自店メダル枚数、他店メダル枚数）をレシートに印字して発行するようにしているが、このメダルの計数情報は、ターミナルコントローラ１４０（図２）の出力部１４５（プリンタ）を利用して、この出力部１４５から印字用紙などに印字して発行するようにしてもよい。
【０１６５】
また、前述した実施例において説明した各処理のうち、自動的に行なわれるものとして説明した処理の全部又は一部を手動的に行なうこともでき、或は、手動的に行なわれるものとして説明した処理の全部又は一部を公知の方法で自動的に行なうこともできる。この他、上記文書中や図面中で示した処理手順、制御手順、具体的名称、各種のデータやパラメータを含む情報については、特記する場合を除いて任意に変更することができる。
【産業上の利用可能性】
【０１６６】
以上のように、本発明に係るメダル計数管理システムは、不正な計数が発生した際の撮影情報に基づいて、計数を行なった操作者を特定することができるメダル計数管理システムに適している。
【図面の簡単な説明】
【０１６７】
【図１】本実施例に係るメダル計数管理システムの概要を示す全体機能ブロック図である。
【図２】図１に示したターミナルコントローラの概要を示す示す全体機能ブロック図である。
【図３】計数情報データベースの構成内容を示す図である。
【図４】他店メダル占有値設定テーブルの構成内容を示す図である。
【図５】カメラサーバの構成を示す機能ブロック図である。
【図６】メダル計数機の構成を示す機能ブロック図である。
【図７】自店メダル登録テーブルの構成を示す機能ブロック図である。
【図８】自店／他店メダル情報データベースの構成内容を示す図である。
【図９】他店メダル分岐機構の概要を示す説明図である。
【図１０】レシート・カード端末機の構成を示す機能ブロック図である。
【図１１−１】表示部に表示されるメダル枚数データを示す表示例を示す図である。
【図１１−２】レシート・カード端末機により発行されるレシートの印字例を示す図である。
【図１２】メニュー画面を示す表示例を示す図である。
【図１３−１】自店メダル登録選択時のメニュー画面を示す表示例を示す図である。
【図１３−２】メダル投入指示画面を示す表示例を示す図である。
【図１３−３】自店メダルの登録中画面を示す表示例を示す図である。
【図１３−４】自店メダルの登録完了画面を示す表示例を示す図である。
【図１４−１】他店メダル占有値登録選択時のメニュー画面を示す表示例を示す図である。
【図１４−２】他店メダル占有値の入力指示画面の表示例を示す図である。
【図１４−３】他店メダル占有値設定中画面の表示例を示す図である。
【図１４−４】他店メダル占有値設定完了時の表示例を示す図である。
【図１５−１】レシート発行設定時の画面を示す表示例を示す図である。
【図１５−２】レシート発行の選択画面を示す表示例を示す図である。
【図１６】メダル貸出機の構成を示す機能ブロック図である。
【図１７】本実施例に係る自店メダルの登録手順を示すフローチャートである。
【図１８】本実施例に係る他店メダル占有値の登録手順を示すフローチャートである。
【図１９】本実施例に係るメダル計数管理システムの全体制御手順を示すフローチャートである。
【符号の説明】
【０１６８】
１００  パチスロ機
１１０  メダル貸出機
１１２  メダル枚数／エラー表示部
１１３  メダル投出装置
１１６、２８０、３９０  電源部
１１４、２３０、３７５、５２０  メモリ
１１５  紙幣識別装置
１１７  貸出制御部
１１８、１４６、２８５、３９５、５３０  通信Ｉ／Ｆ部
１１９  メダル投出口
１２０  島コントローラ
１４０  ターミナルコントローラ
１４１  主制御部
１４２  モニタ
１４４  外部記憶部
１４３  入力部
１４５  出力部
１４６  他店メダル占有値管理部
１７０  計数情報データベース
１８０、２２３  他店メダル占有値設定テーブル
２００  メダル計数機
２１０  自店メダル登録部
２１１  特定情報登録部
２１２  自店メダル情報登録部
２１３  画像識別センサ
２１４  自店メダル登録テーブル
２２０  メダル判別部
２２１  他店メダル占有値設定部
２２４  判別センサ
２３１  自店メダル枚数記憶部
２３２  他店メダル枚数記憶部
２３３  メダル枚数記憶部
２３４  自店／他店メダル情報データベース
２４０  他店メダル排除機構
２４１  他店メダル分岐機構部
２４２  他店メダル搬送路
２４５  他店メダル回収ボックス
２５１、３３１  表示部
２６５、３８０、５１０  制御部
２７２  メダル搬送部
２７３  自店メダル搬送路
２７５、３８０、５１０  制御部
３００  レシート・カード端末機
３３０  表示パネル部
３３１  表示部
３３１ａ  表示制御部
３３２  操作部
３３２ａ  レシート発行設定部
３４０  カード挿入／排出口
３５０  レシート発行口
３６０  カード情報読取部
３７０  印字部
３９０  電源部
４００  撮影カメラ
５００  カメラサーバ
【図１】
2007014625.tif 000003
【図２】
2007014625.tif 000004
【図３】
2007014625.tif 000005
【図４】
2007014625.tif 000006
【図５】
2007014625.tif 000007
【図６】
2007014625.tif 000008
【図７】
2007014625.tif 000009
【図８】
2007014625.tif 000010
【図９】
2007014625.tif 000011
【図１０】
2007014625.tif 000012
【図１１−１】
2007014625.tif 000013
【図１１−２】
2007014625.tif 000014
【図１２】
2007014625.tif 000015
【図１３−１】
2007014625.tif 000016
【図１３−２】
2007014625.tif 000017
【図１３−３】
2007014625.tif 000018
【図１３−４】
2007014625.tif 000019
【図１４−１】
2007014625.tif 000020
【図１４−２】
2007014625.tif 000021
【図１４−３】
2007014625.tif 000022
【図１４−４】
2007014625.tif 000023
【図１５−１】
2007014625.tif 000024
【図１５−２】
2007014625.tif 000025
【図１６】
2007014625.tif 000026
【図１７】
2007014625.tif 000027
【図１８】
2007014625.tif 000028
【図１９】
2007014625.tif 000029